(57)【要約】      （修正有）【課題】冷感効果の更なる向上を実現することができる冷感マスクを提供すること。【解決手段】冷感マスク１００は、マスク本体部１０１と、耳掛け紐３とを少なくとも備えるマスクであり、マスク本体部１０１が、第１シート１０１−１と、第２シート１０１−２とを少なくとも備え、第１シート１０１−１が、接触冷感生地と、冷感剤とを含み、ユーザがマスク１００をユーザの顔面に装着したときに、ユーザの顔面側から順に、第１シート１０１−１と、第２シート１０１−２とが配され、耳掛け紐３が、マスク本体部１０１の左右両端部のそれぞれに配されている。【選択図】図２
0003232410.tif 000002
【実用新案登録請求の範囲】
【請求項１】
マスク本体部と、耳掛け紐とを少なくとも備えるマスクであり、
該マスク本体部が、第１シートと、第２シートとを少なくとも備え、
該第１シートが、接触冷感生地と、冷感剤とを含み、
ユーザが該マスクを該ユーザの顔面に装着したときに、
該ユーザの該顔面側から順に、第１シートと、第２シートとが配され、
該耳掛け紐が、該マスク本体部の左右両端部のそれぞれに配されている、冷感マスク。
【請求項２】
前記冷感剤が、前記接触冷感生地の前記ユーザの前記顔面側の面に塗布されて配されている、請求項１に記載の冷感マスク。
【請求項３】
フィルタを更に備え、
該フィルタが、前記第１シートと、前記第２シートとの間に配されている、請求項1又は２に記載の冷感マスク。
【考案の詳細な説明】
【技術分野】
【０００１】
本考案は、冷感マスクに関する。
【背景技術】
【０００２】
従来から、マスク、特には、不織布マスクは、蒸れやすく肌に触れた感覚が暑苦しい等の問題点がある。したがって、ウィルス等の感染予防ができると同時に、当該マスクに冷感素材を用いて夏場でも快適に使えるマスクの研究・開発が盛んに行われているのが現状である（例えば、特許文献１を参照。）。
【先行技術文献】
【特許文献】
【０００３】
【特許文献１】登録実用新案公報第３２２８０７４号
【考案の概要】
【考案が解決しようとする課題】
【０００４】
しかしながら、特許文献１で提案された技術では、冷感効果の更なる向上が図れないおそれがある。
【０００５】
そこで、本考案は、このような状況を鑑みてなされたものであり、冷感効果の更なる向上を実現することができる冷感マスクを提供することを主目的とする。
【課題を解決するための手段】
【０００６】
本考案者は、上述の目的を解決するために鋭意研究を行った結果、驚くべきことに、冷感効果を更に向上させることができることに成功し、本考案を完成するに至った。
【０００７】
すなわち、本考案は、マスク本体部と、耳掛け紐とを少なくとも備えるマスクであり、該マスク本体部が、第１シートと、第２シートとを少なくとも備え、該第１シートが、接触冷感生地と、冷感剤とを含み、ユーザが該マスクを該ユーザの顔面に装着したときに、該ユーザの該顔面側から順に、第１シートと、第２シートとが配され、該耳掛け紐が、該マスク本体部の左右両端部のそれぞれに配されている、冷感マスクを提供する。
【０００８】
また、本考案に係る冷感マスクにおいては、前記冷感剤が、前記接触冷感生地の前記ユーザの前記顔面側の面に塗布されて配されていてもよい。さらに、本考案に係る冷感マスクは、フィルタを更に備えていてもよく、該フィルタが、前記第１シートと、前記第２シートとの間に配されていてもよい。
【考案の効果】
【０００９】
本考案によれば、冷感効果の更なる向上が実現され得る。
【図面の簡単な説明】
【００１０】
【図１】図１は、本考案に係る冷感マスクの斜視図である。
【図２】図２は、本考案に係る冷感マスクの分解斜視図である。
【考案を実施するための形態】
【００１１】
本考案に係るマスクについて、図１〜図２を用いて説明する。
【００１２】
図１は、本考案に係る冷感マスクの斜視図であり、より具体的には、冷感マスク１００の斜視図である。
【００１３】
図２は、本考案に係る冷感マスクの分解斜視図であり、より具体的には、冷感マスク１００の分解斜視図である。
【００１４】
図１に示されるように、冷感マスク１００は、マスク本体部１０１と、耳掛け紐３とを少なくとも備える。耳掛け紐３は、マスク本体部１０１の左右両端部（図１中の左右方向）のそれぞれに配されている。冷感マスク１００においては、ユーザが冷感マスク１００をユーザの顔面（図１においては不図示）に装着したときに、ユーザの鼻に対向するように、ノーズワイヤ２がマスク本体部１０１に配されている。すなわち、ノーズワイヤ２は、マスク本体部１０１の上部（図１中の上側）に取り付けられている。また、マスク１００においては、図示はされていないが、ユーザがマスクをユーザの前記顔面に装着したときに、ユーザの口元に対向するように、口元ワイヤがマスク本体部１０１に配されていてもよい。その場合、口元ワイヤは、マスク本体部１０１の箱襞（オメガプリーツ（立体プリーツ））１に取り付けられていてもよい。
【００１５】
ノーズワイヤ２及び口元ワイヤ（不図示）は、マスク本体部１０１の素材（例えば、不織布）との加工性・親和性の観点から、やや硬い塑性プラスチック細型材が好適である。ノーズワイヤ２及び口元ワイヤを構成する材料（材質）は、例えばポリエチレン等が挙げられる。ノーズワイヤ及び口元ワイヤが、冷感マスク１００に配されることによって、顔面の複雑な個体差ある曲面にフィットさせることができる。
【００１６】
図２に示されるように、冷感マスク１００が備えるマスク本体部１０１は、ユーザの顔面側から順に（図２の右上側から順であって、冷感マスク１００の内側から順に）、第１不織布シート（第１シート）１０１−１と、第２不織布シート（第２シート）１０１−２とを備えている。そして、マスク本体部１０１には、第１不織布シート（第１シート）１０１−１と、第２不織布シート（第２シート）１０１−２との間に、不織布フィルタ（フィルタ）１０１−３が配されている。すなわち、マスク本体部１０１は、３層構造を有している。この３層構造によって、ＰＭ２．５、ウィルス飛沫、黄砂、花粉等の侵入が防止され得る。なお、マスク本体部１０１は、１つ以上の不織布シートを更に備えて、４層以上の構造を有していてもよい。
【００１７】
第１不織布シート（第１シート）１０１−１は、接触冷感生地と、冷感剤とを含む。接触冷感とは、接触の際に表面の熱を吸収し冷たく感じる感覚をいう。第１不織布シート（第１シート）１０１−１の接触冷感生地は、口元、頬、鼻などに接触してこれらからの熱を吸収することができる。第１不織布シート（第１シート）１０１−１の接触冷感生地は、すばやく熱を吸収する熱伝導率の高い生地から構成されて、不織布でよく、例えば、スパンボンド製法で作製された不織布である。第１不織布シート（第１シート）１０１−１を構成する不織布の材質は、例えば、ポリプロピレンとポリエチレンとから構成される。
【００１８】
接触冷感の指標（ひんやり度の指標）として、最大熱吸収速度（Ｑ-ｍａｘ値（Ｗ／ｃｍ２））がある。生地の最大熱吸収速度（Ｑ-ｍａｘ値）が、０．２以上であるとき、その生地を接触冷感生地と称することができる。そして、最大熱吸収速度（Ｑ-ｍａｘ値）が、０．３前後以上であれば、普通にひんやりと感じることができる。最大熱吸収速度（Ｑ-ｍａｘ値（Ｗ／ｃｍ２））は、ＪＩＳ Ｌ １９２７に準拠して測定される。
【００１９】
第１不織布シート（第１シート）１０１−１は、接触冷感生地と冷感剤とを含むことから（例えば、冷感剤を接触冷感生地の顔面側の面（口元に対向する面）に塗布する。）、口元において、普通にひんやりと感じることができる。第１不織布シート（第１シート）１０１−１の最大熱吸収速度（Ｑ-ｍａｘ値（Ｗ／ｃｍ２））は、０．２〜０．３９の値の範囲であり、一つの実験結果としては、０．２９７の値である。
【００２０】
第２不織布シート（第２シート）１０１−２は、スパンボンド製法で作製された不織布から構成され、例えば、ポリプロピレン不織布から構成される。不織布フィルタ（フィルタ）１０１−３は、
メルトブロー法で作製された不織布から構成される。
【符号の説明】
【００２１】
１・・・箱襞、
２・・・ノーズワイヤ、
３・・・耳掛け紐、
１００・・・冷感マスク、
１０１・・・マスク本体部、
１０１−１・・・第１シート（第１不織布シート）、
１０１−２・・・第２シート（第２不織布シート）、
１０１−３・・・フィルタ（不織布フィルタ）。
【図１】
0003232410.tif 000003
【図２】
0003232410.tif 000004